(57)【要約】【課題】  左右のレンズを結合する連結部材や眼鏡蔓を軟質の合成樹脂によって構成した縁なし眼鏡では、眼鏡蔓を収納位置から使用位置まで拡大すると、その反力でレンズの外縁部が前方へ移動し眼球から離れるので、レンズによって矯正された視野が狭められる不具合がある。【解決手段】  一端に耳掛け部を設けたテンプルの他端を縁なしのレンズの外縁部に固着する一方、前記レンズの２個を弾力のある合成樹脂製の連結部材によって内縁部で連結して構成するものにおいて、前記２個のレンズの取付姿勢を自由状態で前記外縁部が内縁部に対して顔面側に傾斜させることによって解決される。【選択図】図１
2010102007.tif 000002
【特許請求の範囲】
【請求項１】
一端に耳掛け部を設けたテンプルの他端を縁なしのレンズの外縁部に固着する一方、前記レンズの左右一対を弾力のある合成樹脂製の連結部材によって内縁部で連結して構成するものにおいて、前記左右のレンズの不使用状態における連結部材よる連結角度が、前記外縁部が内縁部に対して顔面側に傾斜していることを特徴とする簡易縁なし眼鏡。
【請求項２】
請求項１において、前記テンプルは合成樹脂で作られ、前記耳掛け部を設けた後半部と、レンズに結合された前半部とからなり、前記後半部の前端は筒状に形成され、前記前半部に固定された金属線上を長手方向へ摺動可能に固定してなる簡易縁なし眼鏡。
【発明の詳細な説明】
【技術分野】
【０００１】
本発明は、本発明はレンズの周囲を保持するレンズ枠のない縁なし眼鏡に関するもので、とくに、レンズに連結される耳かけ蔓に、折り畳み用のピンのない簡易なものに関する。
【背景技術】
【０００２】
従来、縁なし眼鏡の軽量化のため、左右のレンズを光軸より３〜５ｍｍの位置から下側を水平に切除して軽量化することが知られていた（特許文献１参照）。
【０００３】
また、近年は軽量化が一層すすみ、眼鏡を構成するレンズやフレームを収納する際に、テンプルを折り畳むためのヒンジの構造を省略するため、テンプルや左右のレンズを連結する連結部材を可撓性の高いプラスチックで成形したものが市販されている。
【０００４】
そこでは、眼鏡の不使用時にケースへ収めるため、非常に可撓性のよいテンプルが採用され、テンプルはその全体に亘って湾曲するので、眼鏡が使われていないときでも、左右のテンプル間の距離がかなり接近する設定となっている。そのため、眼鏡を装着するときには、テンプル間の距離を頭部の幅まで外方へ押し拡げて使用することになる。
【０００５】
そのため、テンプルを拡げたときの反力で、左右のレンズやレンズの連結具が弾性変形し、眼球に対するレンズの角度を変化させる。図５中、二点鎖線で示すように、テンプルが自由状態にあったときには、左右のレンズがおおむね同一平面上、あるいは外縁部がやや眼球Ｅ側へ僅かに偏位した位置Ａにあったものが、同図中、実線で示すように、左右のレンズの各外縁部が顔面Ｆから前方へ移動した位置Ｄへ移動する。
【０００６】
左右のレンズのこのような移動は、眼球Ｅのレンズによって矯正される視野が角度αから角度βへ変化し、レンズによって矯正される視野を狭める不具合を生じた。
【０００７】
この改善策として、左右のレンズを連結するレンズ連結具やテンプルを、従来のような剛性の高い材料とすれば解決するが、従来と同様に、ヒンジを用いない限り左右のレンズに大きな曲げ応力が発生し、変形したり破損したりするほか、この種の縁なし眼鏡の利点を相殺してしまうおそれがある。
【特許文献１】特開平６−２９４９４５号公報
【発明の開示】
【発明が解決しようとする課題】
【０００８】
解決しようとする問題点は、従来の簡易縁なし眼鏡が軽量化と構成の簡略化を進めた結果として作られた簡易縁なし眼鏡が、装着に際して生じるレンズの位置の変化によって視界が狭められたり、レンズに過度な反力が作用して変形させたりする点である。
【課題を解決するための手段】
【０００９】
本発明は、一端に耳掛け部を設けたテンプルの他端を縁なしのレンズの外縁部に固着する一方、前記レンズの左右一対を弾力のある合成樹脂製の連結部材によって内縁部で連結して構成するものにおいて、前記左右のレンズの不使用状態における連結部材よる連結角度が、前記外縁部が内縁部に対して顔面側に傾斜させたことを最も主要な特徴とする。
【発明の効果】
【００１０】
本発明によれば、テンプルと左右のレンズを連結する連結部材とを可撓性のすぐれた材料で構成したから、それらの弾性を利用してテンプルを湾曲させることができ、眼鏡をケースに収容させるため必要とされるテンプルを折り畳むための構造、すなわちヒンジ部を必要としないため、部品点数が少なく構造が簡単で製造が容易であり、眼鏡を廉価に提供できる。
【００１１】
また、前記テンプルや連結部材の可撓性を向上させたにも拘らず、予め、装着時の変形を考慮して製造されているので、それらが弾性変形してもレンズによって矯正した視野を狭めることがないなどの効果がある。
【実施例１】
【００１２】
以下、本発明の実施例を図面によって説明する。図１中、１０はこの発明を利用した簡易縁なし眼鏡である。簡易縁なし眼鏡１０は連結部材１２によって互いに連結された近視矯正用の左右のレンズ１４、１４の左右一対を有する。
【００１３】
前記連結部材１２は熱可塑性の比較的軟い合成樹脂で作られており、装着者の鼻との干渉を避けるための中央の湾曲部１２ａと、そこから左右に突出する短い結合子１２ｂとを有する。１２ｃは鼻当てであり、細いステンレス線１２ｄによって前記湾曲部１２ａに装着者の顔面Ｆ側に面して取り付けられている。
【００１４】
前記左右のレンズ１４、１４は近視矯正用であり、周知のように、円形をしたレンズ材料から周縁を切除して、図２で示すように、横長に作られている。すなわち、上側が通常の眼鏡と略同形の大きく面取りした角形をなし、下側１４ｃは光軸Ｚより僅かに下側において略水平方向に切除されて直線状をなしている。かくて、老眼用に好適な横長の近視矯正用のレンズ１４、１４が作られる。
【００１５】
前記連結部材１２と左右のレンズ１４、１４とは、レンズの内縁部１４ａに穿設された２個の小穴へ結合子１２ｂに設けた小さい２個の突起を貫通させ、その貫通させた部分を加熱溶解させて外径を膨大させ抜止めしてある。なお、この連結手段は慣用されており詳細な説明は省略する。
【００１６】
左右のレンズ１４、１４は連結部材１２と連結される際、図３中、二点鎖線で示すように、左右のレンズ１４、１４がおおむね同一平面上に並ぶ位置から、実線で示すように、外縁部１４ｂが内縁部１４ａから顔面Ｆの方向へ後退して平面視が略八字形となるような位置との間に設定される。なお、外縁部１４ｂが顔面Ｆ側へ後退する角度の大小は、前記連結部材１２の硬さと意匠上の要求によって決定される。
【００１７】
レンズの外縁部１４ｂに結合されるテンプル１６は、熱可塑性の弾性の大きい合成樹脂によって成形されており、前記した連結部材１２の場合と同様にレンズの外縁部１４ｂに穿設された２個の小穴へテンプル１６に設けた小さい２個の突起を貫通させ、その貫通させた部分を加熱溶解させて外径を膨大させ抜止めしてある。
【００１８】
テンプル１６は全体として柔軟で軽量な細い樹脂線状に作られている。そして、図１で示すように、簡易縁なし眼鏡１０の不使用時には、テンプル１６が図中、実線で描かれた不使用形状Ａとなり、眼鏡ケース（図示してない）へ収容するときには、強く湾曲した形状Ｂとなる。そして、眼鏡を装着したときには頭部Ｈの大きさまで拡大した形状Ｃとなる。
【００１９】
テンプル１６は長手方向の略中央に設けられた連結部１６ｄにおいて、レンズ１４に連結される前部１６ａと耳かけ部を有する後部１６ｂとに、分離可能となっている。すなわち、図３で示すように、前部１６ａの端部から突出させたステンレス製のワイヤ１６ｃを、筒状に作られた後部１６ｂへ緩く嵌合させて、それらの間の摩擦によって簡単に抜けてしまわないように緩く固定している。よって、前記ワイヤ１６ｃが後部１６ｂへ挿入する長さを変えることによって、テンプル１６の長さが調節できる。
【００２０】
この実施例は以上のように構成されているので、少なくとも、テンプル１６が収納状態に折り曲げてある（図１中のＢ）か、使用準備のため自由状態にしてあるか（図１中のＡ）の、いずれかの場合、左右のレンズ１４、１４は外縁部１４ｂが内縁部１４ａよりも顔面Ｆ側に接近した位置にある。
【００２１】
よって、縁なし眼鏡１０が装着され、左右のテンプル１６、１６の間隔が自由状態より拡大されると、テンプル１６、１６の変形に伴って左右のレンズ１４、１４は連結部材１２の周りを回動し、外縁部１４ｂが前方へ移動するが、その場合にも内縁部１４ａを越えて大きく前方へ移動することがなく、装着者の矯正視野を狭めることがない。
【００２２】
また、縁なし眼鏡１０は装着者の矯正視野を狭めることなしに、一般にテンプルに設けられている折り畳みようのヒンジ部を省略することができるから、部品点数が少なく軽量で製造が容易な縁なし眼鏡１０を製造できる効果がある。
【図面の簡単な説明】
【００２３】
【図１】本願発明の実施方法を示した簡易縁なし眼鏡の不使用時の平面図である。
【図２】その正面図である。
【図３】眼鏡を装着したときのテンプルを示す図１相当の平面図である。
【図４】テンプル１０の要部を拡大して示す拡大断面図である。
【図５】従来の簡易縁なし眼鏡を示す図１相当の平面図である。
【符号の説明】
【００２４】
１０    縁なし眼鏡
１２    連結部材
１２ａ    湾曲部
１２ｂ    結合子
１２ｃ    鼻当て
１２ｄ    ステンレス線
１４    レンズ
１４ａ    内縁部
１４ｂ    外縁部
１４ｃ    直線
１６    テンプル
１６ａ    前部
１６ｂ    後部
１６ｃ    ワイヤ
１６ｄ    結合部
Ａ    不使用形状
Ｂ    強く湾曲した形状
Ｃ    拡大した形状
Ｅ    眼球
Ｆ    顔面
Ｚ    光軸
【図１】
2010102007.tif 000003
【図２】
2010102007.tif 000004
【図３】
2010102007.tif 000005
【図４】
2010102007.tif 000006
【図５】
2010102007.tif 000007